(57)【要約】【課題】  無段変速モードを選択しての車両減速後に再加速を行う走行時、スムーズで良好な再加速性を得ることができるハイブリッド車のモード遷移制御装置を提供すること。【解決手段】  共線図上に４つ以上の入出力要素が配列される差動装置を有し、前記入出力要素のうちの内側に配列される２つの要素の一方にエンジンＥからの入力を、他方に駆動系統への出力軸OUTをそれぞれ割り当てると共に、前記内側の要素の両外側に配列される２つの要素にそれぞれ第１モータジェネレータMG1と第２モータジェネレータMG2とを連結した駆動力合成変速機TMを備えたハイブリッド車において、走行モードとして、少なくとも無段変速比により走行する「無段変速モード」と、前記差動装置の回転要素を変速機ケースに固定することでロー側の固定変速比により走行する「ローギヤ固定モード」と、を有し、前記「無段変速モード」を選択しての車両減速時、車速が設定車速以下になると、強制的に「無段変速モード」から「ローギヤ固定モード」へモード遷移する再加速対応モード遷移制御手段を設けた。【選択図】        図６
2005291476.tif 000002
【特許請求の範囲】
【請求項１】
共線図上に４つ以上の入出力要素が配列される差動装置を有し、前記入出力要素のうちの内側に配列される２つの要素の一方にエンジンからの入力を、他方に駆動系統への出力部材をそれぞれ割り当てると共に、前記内側の要素の両外側に配列される２つの要素にそれぞれ第１モータジェネレータと第２モータジェネレータとを連結した駆動力合成変速機を備えたハイブリッド車において、
走行モードとして、少なくとも無段変速比により走行する無段変速モードと、前記差動装置の回転要素を変速機ケースに固定することでロー側の固定変速比により走行するローギヤ固定モードと、を有し、
前記無段変速モードを選択しての車両減速時、車速が設定車速以下になると、強制的に無段変速モードからローギヤ固定モードへモード遷移する再加速対応モード遷移制御手段を設けたことを特徴とするハイブリッド車のモード遷移制御装置。
【請求項２】
請求項１に記載されたハイブリッド車のモード遷移制御装置において、
前記走行モードとして、ハイ側無段変速比の要求時に選択されるハイ側無段変速モードと、ロー側無段変速比の要求時に選択されるロー側無段変速モードと、ロー側固定変速比の要求時に選択されるローギヤ固定モードと、を有し、
前記再加速対応モード遷移制御手段は、ハイ側無段変速モードあるいはロー側無段変速モードを選択しての車両減速時、車速が設定車速以下になると、強制的にローギヤ固定モードにモード遷移することを特徴とするハイブリッド車のモード遷移制御装置。
【請求項３】
請求項２に記載されたハイブリッド車のモード遷移制御装置において、
前記再加速対応モード遷移制御手段は、ハイ側無段変速モードあるいはロー側無段変速モードを選択しての車両減速時、車速が設定車速以下であり、かつ、両モータジェネレータの回転数が設定回転数以下になると、強制的にローギヤ固定モードにモード遷移することを特徴とするハイブリッド車のモード遷移制御装置。
【請求項４】
請求項１乃至３の何れか１項に記載されたハイブリッド車のモード遷移制御装置において、
前記再加速対応モード遷移制御手段は、下り坂を検出した場合、車両減速時において強制的にローギヤ固定モードへ遷移する再加速対応モード遷移制御を禁止することを特徴とするハイブリッド車のモード遷移制御装置。
【請求項５】
請求項１乃至４の何れか１項に記載されたハイブリッド車のモード遷移制御装置において、
前記再加速対応モード遷移制御手段は、運転者のブレーキ操作による車両減速を検出した場合にのみ、車両減速時において強制的にローギヤ固定モードへ遷移する再加速対応モード遷移制御を実行することを特徴とするハイブリッド車のモード遷移制御装置。
【請求項６】
請求項１乃至５の何れか１項に記載されたハイブリッド車のモード遷移制御装置において、
前記駆動力合成変速機は、第１遊星歯車，第２遊星歯車，第３遊星歯車で構成され、エンジンと第１モータジェネレータと第２モータジェネレータと出力部材とが連結された差動装置と、複数の走行モードを得るために設けられた第１摩擦締結要素，第２摩擦締結要素，第３摩擦締結要素と、を有し、
前記走行モードは、予め要求駆動力と車速とバッテリ容量に応じて各走行モードを割り振り設定した走行モードマップと、検出された要求駆動力と車速とバッテリ容量による車両運転点とを用い、走行モードマップ上での車両運転点が所属する走行モード領域を検索することにより決定し、
前記ハイ側無段変速モードは、前記第１摩擦締結要素を解放し、前記第２摩擦締結要素を締結し、前記第３摩擦締結要素を解放することで、ハイ側無段変速比を得る走行モードであり、
前記ロー側無段変速モードは、前記第１摩擦締結要素を締結し、前記第２摩擦締結要素を解放し、前記第３摩擦締結要素を解放することで、ロー側無段変速比を得る走行モードであり、
前記ローギヤ固定モードは、前記第１摩擦締結要素を締結し、前記第２摩擦締結要素を解放し、前記第３摩擦締結要素を締結することで、ロー側固定変速比を得る走行モードであることを特徴とするハイブリッド車のモード遷移制御装置。
【発明の詳細な説明】
【技術分野】
【０００１】
本発明は、車両の駆動系に適用され、走行モードとして、少なくとも無段変速モードとローギヤ固定モードを有するハイブリッド車のモード遷移制御装置に関する。
【背景技術】
【０００２】
従来、共線図上に４つの入出力要素が配列される４要素２自由度の遊星歯車機構を構成し、前記入出力要素のうちの内側に配列される２つの要素の一方にエンジンからの入力を、他方に駆動系統への出力をそれぞれ割り当てると共に、前記内側の要素の両外側に配列される２つの要素にそれぞれ第１モータジェネレータと第２モータジェネレータとを連結したハイブリッド駆動装置が知られていて、このハイブリッド駆動装置では、走行モードとして、エンジンと２つのモータジェネレータを用いて走行する「無段変速モード」と、ローブレーキを締結し、エンジンと２つのモータジェネレータ、あるいは、２つのモータジェネレータのみを用いて走行する「ローギヤ固定モード」と、を有する（例えば、特許文献１参照）。
【特許文献１】特開２００３−３２８０８号公報
【発明の開示】
【発明が解決しようとする課題】
【０００３】
しかしながら、上記従来のハイブリッド駆動装置にあっては、各走行モードを割り振り設定した走行モードマップを用いて走行モードの選択が行われ、選択される走行モードが選択されている現在の走行モードと異なる場合にのみモード遷移制御を行うものであるため、無段変速モードが選択されている減速時、停車前に再度アクセルペダルを踏み込んで再加速する場合、再加速後にモード遷移車速を超えて無段変速モードからローギヤ固定モードへのモード遷移が行われる。この結果、再加速時のモード遷移となり、モード遷移に伴う駆動力の変動により再加速がスムーズに行われないし、また、高い駆動力要求があった場合には、ローギヤ固定モードへのモード遷移が遅れることで、再加速性が劣るという問題がある。
【０００４】
本発明は、上記問題に着目してなされたもので、無段変速モードを選択しての車両減速後に再加速を行う走行時、スムーズで良好な再加速性を得ることができるハイブリッド車のモード遷移制御装置を提供することを目的とする。
【課題を解決するための手段】
【０００５】
上記目的を達成するため、本発明では、共線図上に４つ以上の入出力要素が配列される差動装置を有し、前記入出力要素のうちの内側に配列される２つの要素の一方にエンジンからの入力を、他方に駆動系統への出力部材をそれぞれ割り当てると共に、前記内側の要素の両外側に配列される２つの要素にそれぞれ第１モータジェネレータと第２モータジェネレータとを連結したハイブリッド車のモード遷移制御装置において、
走行モードとして、少なくとも無段変速比により走行する無段変速モードと、前記差動装置の回転要素を変速機ケースに固定することでロー側の固定変速比により走行するローギヤ固定モードと、を有し、
前記無段変速モードを選択しての車両減速時、車速が設定車速以下になると、強制的に無段変速モードからローギヤ固定モードへモード遷移する再加速対応モード遷移制御手段を設けた。
【発明の効果】
【０００６】
よって、本発明のハイブリッド車のモード遷移制御装置にあっては、再加速対応モード遷移制御手段において、無段変速モードを選択しての車両減速時、車速が設定車速以下になると、強制的に無段変速モードからローギヤ固定モードへのモード遷移が実行される。すなわち、車両減速時に無段変速モードからローギヤ固定モードへモード遷移が行われることになり、その後、ドライバが再加速を意図してアクセルペダルを踏み込む時点では、既にローギヤ固定モードへのモード遷移が終了し、再加速に備えている。この結果、モード遷移時に懸念される駆動力の抜けもしくは飛び出しが再加速時に発生しないため、無段変速モードを選択しての車両減速後に再加速を行う走行時、スムーズな再加速性が確保される。また、再加速に備えて駆動力が出せるローギヤ固定モードへのモード遷移を終えているため、アクセル踏み込み操作による高い駆動力要求に対してもアクセル操作に応答する良好な再加速性を得ることができる。
【発明を実施するための最良の形態】
【０００７】
以下、本発明のハイブリッド車のモード遷移制御装置を実現する最良の形態を、図面に示す実施例１に基づいて説明する。
【実施例１】
【０００８】
まず、ハイブリッド車の駆動系構成を説明する。
図１は実施例１のモード遷移制御装置が適用されたハイブリッド車の駆動系を示す全体システム図である。実施例１におけるハイブリッド車の駆動系は、図１に示すように、エンジンＥと、第１モータジェネレータMG1と、第２モータジェネレータMG2と、出力軸OUT（出力部材）と、駆動力合成変速機TMと、を有する。
【０００９】
前記駆動力合成変速機TMは、第１遊星歯車PG1（差動装置）と、第２遊星歯車PG2（差動装置）と、第３遊星歯車PG3（差動装置）と、エンジンクラッチECと、ローブレーキLB（第１摩擦締結要素）と、ハイクラッチHC（第２摩擦締結要素）と、ハイローブレーキHLB（第３摩擦締結要素）と、を有する。
【００１０】
前記エンジンＥは、ガソリンエンジンやディーゼルエンジンであり、後述するエンジンコントローラ１からの制御指令に基づいて、スロットルバルブのバルブ開度などが制御ｙされる。
【００１１】
前記第１モータジェネレータMG1と第２モータジェネレータMG2は、永久磁石を埋設したロータと、ステータコイルが巻き付けられたステータと、を有する同期型モータジェネレータであり、後述するモータコントローラ２からの制御指令に基づいて、インバータ３により作り出された三相交流をそれぞれのステータコイルに印加することにより独立に制御される。
【００１２】
前記駆動力合成変速機TMの第１遊星歯車PG1と第２遊星歯車PG2と第３遊星歯車PG3とは、何れもシングルピニオン型遊星歯車である。前記第１遊星歯車PG1は、第１サンギヤS1と、第１ピニオンP1を支持する第１ピニオンキャリアPC1と、第１ピニオンP1に噛み合う第１リングギヤR1と、によって構成されている。前記第２遊星歯車PG2は、第２サンギヤS2と、第２ピニオンP2を支持する第２ピニオンキャリアPC2と、第２ピニオンP2に噛み合う第２リングギヤR2と、によって構成されている。前記第３遊星歯車PG3は、第３サンギヤS3と、第３ピニオンP3を支持する第３ピニオンキャリアPC3と、第３ピニオンP3に噛み合う第３リングギヤR3と、によって構成されている。
【００１３】
前記第１サンギヤS1と前記第２サンギヤS2とは第１回転メンバM1により直結され、前記第１リングギヤR1と第３サンギヤS3とは第２回転メンバM2により直結され、前記第２ピニオンキャリアPC2と前記第３リングギヤR3とは第３回転メンバM3により直結される。したがって、３組の遊星歯車PG1,PG2,PG3は、第１回転メンバM1と第２回転メンバM2と第３回転メンバM3と第１ピニオンキャリアPC1と第２リングギヤR2と第３ピニオンキャリアPC3との６つの回転要素を有する。
【００１４】
前記差動装置の６つの回転要素に対する動力源Ｅ,MG1,MG2と出力軸OUTと各係合要素EC,LB,HC,HLBの連結関係について説明する。
前記第１回転メンバM1（S1,S2）には、第２モータジェネレータMG2が連結されている。
前記第２回転メンバM2（R1,R3）には、入出力要素の何れにも連結されていない。
前記第３回転メンバM3（PC2,R3）には、エンジンクラッチECを介してエンジンＥが連結されている。
前記第１ピニオンキャリアPC1には、ハイクラッチHCを介して第２モータジェネレータMG2が連結されている。また、ローブレーキLBを介して変速機ケースTCに連結されている。
前記第２リングギヤR2には、第１モータジェネレータMG1が連結されている。また、ハイローブレーキHLBを介して変速機ケースTCに連結されている。
前記第３ピニオンキャリアPC3には、出力軸OUTが連結されている。なお、出力軸OUTからは、図外のプロペラシャフトやディファレンシャルやドライブシャフトを介して左右の駆動輪に駆動力が伝達される。
【００１５】
上記連結関係により、図２に示す共線図上において、第１モータジェネレータMG1(R2)、エンジンＥ(PC2,R3)、出力軸OUT(PC3)、第２モータジェネレータMG2(S1,S2)の順に配列され、遊星歯車列の動的な動作を簡易的に表せる剛体レバーモデル（第１遊星歯車PG1のレバー(1)、第２遊星歯車PG2のレバー(2)、第３遊星歯車PG3のレバー(3)）を導入することができる。ここで、「共線図」とは、差動歯車のギヤ比を考える場合、式により求める方法に代え、より簡単で分かりやすい作図により求める方法で用いられる速度線図であり、縦軸に各回転要素の回転数（回転速度）をとり、横軸にリングギヤ、キャリア、サンギヤ等の各回転要素をとり、各回転要素の間隔をサンギヤとリングギヤの歯数比に基づく共線図レバー比（α、β、δ）になるように配置したものである。
【００１６】
前記エンジンクラッチECは、油圧により締結される多板摩擦クラッチであり、図２の共線図上において、エンジンＥとの回転速度軸と一致する位置に配置され、締結によりエンジンＥの回転とトルクを、エンジン入力回転要素である第３回転メンバM3（PC2,R3）に入力する。
【００１７】
前記ローブレーキLBは、油圧により締結される多板摩擦ブレーキであり、図２の共線図上において、第２モータジェネレータMG2の回転速度軸より外側位置に配置され、図２に示すように、締結によりロー側変速比を分担するローギヤ固定モードとロー側無段変速モードを実現する。
【００１８】
前記ハイクラッチHCは、油圧により締結される多板摩擦クラッチであり、図２の共線図上において、第２モータジェネレータMG2の回転速度軸と一致する位置に配置され、締結によりハイ側変速比を分担する２速固定変速モードとハイ側無段変速モードとハイギヤ固定モードを実現する。
【００１９】
前記ハイローブレーキHLBは、油圧により締結される多板摩擦ブレーキであり、図２の共線図上において、第１モータジェネレータMG1の回転速度軸と一致する位置に配置され、ローブレーキLBと共に締結することにより変速比をアンダードライブ側のローギヤ固定モードとし、ハイクラッチHCと共に締結することにより変速比をオーバードライブ側のハイギヤ固定モードとする。
【００２０】
次に、ハイブリッド車の制御系を説明する。
実施例１におけるハイブリッド車の制御系は、図１に示すように、エンジンコントローラ１と、モータコントローラ２と、インバータ３と、バッテリ４と、油圧制御装置５と、統合コントローラ６と、アクセル開度センサ７と、車速センサ８と、エンジン回転数センサ９と、第１モータジェネレータ回転数センサ１０と、第２モータジェネレータ回転数センサ１１と、第３リングギヤ回転数センサ１２と、を有して構成されている。
【００２１】
前記エンジンコントローラ１は、アクセル開度センサ７からのアクセル開度APとエンジン回転数センサ９からのエンジン回転数Neを入力する統合コントローラ６からの目標エンジントルク指令等に応じ、エンジン動作点（Ne,Te）を制御する指令を、例えば、図外のスロットルバルブアクチュエータへ出力する。
【００２２】
前記モータコントローラ２は、レゾルバによる両モータジェネレータ回転数センサ１０、１１からのモータジェネレータ回転数N1,N2を入力する統合コントローラ６からの目標モータジェネレータトルク指令等に応じ、第１モータジェネレータMG1のモータ動作点（N1,T1）と、第２モータジェネレータMG2のモータ動作点（N2,T2）と、をそれぞれ独立に制御する指令をインバータ３へ出力する。なお、このモータコントローラ２からは、バッテリ４の充電状態をあらわすバッテリS.O.Cの情報が統合コントローラ６に対して出力される。
【００２３】
前記インバータ３は、前記第１モータジェネレータMG1と第２モータジェネレータMG2との各ステータコイルに接続され、モータコントローラ２からの指令により独立した３相交流を作り出す。このインバータ３には、力行時に放電し回生時に充電するバッテリ４が接続されている。
【００２４】
前記油圧制御装置５は、統合コントローラ６からの油圧指令を受け、エンジンクラッチECと、ローブレーキLBと、ハイクラッチHCと、ハイローブレーキHLBと、の締結油圧制御及び解放油圧制御を行う。この締結油圧制御及び解放油圧制御には、滑り締結制御や滑り解放制御による半クラッチ制御も含む。
【００２５】
前記統合コントローラ６は、アクセル開度センサ７からのアクセル開度APと、車速センサ８からの車速VSPと、エンジン回転数センサ９からのエンジン回転数Neと、第１モータジェネレータ回転数センサ１０からの第１モータジェネレータ回転数N1と、第２モータジェネレータ回転数センサ１１からの第２モータジェネレータ回転数N2と、第３リングギヤ回転数センサ１２からのエンジン入力回転速度ωin等の情報を入力し、所定の演算処理を行う。そして、エンジンコントローラ１、モータコントローラ２、油圧制御装置５に対し演算処理結果にしたがって制御指令を出力する。
【００２６】
なお、統合コントローラ６とエンジンコントローラ１、および、統合コントローラ６とモータコントローラ２とは、情報交換のためにそれぞれ双方向通信線１４、１５により接続されている。
【００２７】
次に、ハイブリッド車の走行モードについて説明する。
【００２８】
走行モードとしては、ローギヤ固定モード（以下、「Lowモード」という。）と、ロー側無段変速モード（以下、「Low-iVTモード」という。）と、２速固定モード（以下、「2ndモード」という。）と、ハイ側無段変速モード（以下、「High-iVTモード」という。）と、ハイギヤ固定モード（以下、「Highモード」という。）と、の５つの走行モードを有する。
【００２９】
前記５つの走行モードについては、エンジンＥを用いないで両モータージェネレータMG1,MG2のみで走行する電気自動車モード（以下、「EVモード」という。）と、エンジンＥと両モータージェネレータMG1,MG2を用いて走行するハイブリッド車モード（以下、「HEVモード」という。）とに分けられる。
【００３０】
よって、図２及び図３に示すように、「EVモード」と「HEVモード」とを合わせると「１０の走行モード」が実現されることになる。ここで、図２(a)にEVモード関連の「EV-Lowモード」の共線図、図２(b)に「EV-Low-iVTモード」の共線図、図２(c)に「EV-2ndモード」の共線図、図２(d)に「EV-High-iVTモード」の共線図、図２(e)に「EV-Highモード」の共線図をそれぞれ示す。また、図３(a)にHEVモード関連の「HEV-Lowモード」の共線図、図３(b)に「HEV-Low-iVTモード」の共線図、図３(c)に「HEV-2ndモード」の共線図、図３(d)に「HEV-High-iVTモード」の共線図、図３(e)に「HEV-Highモード」の共線図をそれぞれ示す。
【００３１】
前記「Lowモード」は、図２(a)及び図３(a)の共線図に示すように、ローブレーキLBを締結し、ハイクラッチHCを解放し、ハイローブレーキHLBを締結することで得られるローギヤ固定モードである。
前記「Low-iVTモード」は、図２(b)及び図３(b)の共線図に示すように、ローブレーキLBを締結し、ハイクラッチHCを解放し、ハイローブレーキHLBを解放することで得られるロー側無段変速モードである。
前記「2ndモード」は、図２(c)及び図３(c)の共線図に示すように、ローブレーキLBを締結し、ハイクラッチHCを締結し、ハイローブレーキHLBを解放することで得られる２速固定モードである。
前記「High-iVTモード」は、図２(d)及び図３(d)の共線図に示すように、ローブレーキLBを解放し、ハイクラッチHCを締結し、ハイローブレーキHLBを解放することで得られるハイ側無段変速モードである。
前記「Highモード」は、図２(e)及び図３(e)の共線図に示すように、ローブレーキLBを解放し、ハイクラッチHCを締結し、ハイローブレーキHLBを締結することで得られるハイギヤ固定モードである。
【００３２】
そして、前記「１０の走行モード」のモード遷移制御は、統合コントローラ６により行われる。すなわち、統合コントローラ６には、要求駆動力Fdrv（アクセル開度APにより求められる。）と車速VSPとバッテリS.O.Cによる三次元空間に、図４に示すような前記１０の走行モードを割り振った走行モードマップが予め設定されていて、車両走行時等においては、要求駆動力Fdrvと車速VSPとバッテリS.O.Cの各検出値により走行モードマップが検索され、要求駆動力Fdrvと車速VSPにより決まる車両動作点やバッテリ充電量に応じた最適な走行モードが選択される。なお、図４は三次元走行モードマップをバッテリS.O.Cが充分な容量域のある値で切り取ることにより、要求駆動力Fdrvと車速VSPとの二次元によりあらわした走行モードマップの一例である。
【００３３】
前記走行モードマップの選択により、「EVモード」と「HEVモード」との間においてモード遷移を行う場合には、図５に示すように、エンジンＥの始動・停止と、エンジンクラッチECの締結・解放に加え、後述するローブレーキLBとハイクラッチHCとハイローブレーキHLBの締結・解放制御が実行される。
【００３４】
また、「EVモード」の５つのモード間でのモード遷移や「HEVモード」の５つのモード間でのモード遷移を行う場合には、図５に示すON/OFF作動表にしたがって行われる。例えば、「Lowモード」は、ローブレーキLB締結・ハイクラッチHC解放・ハイローブレーキHLB締結により得られる。「Low-iVTモード」は、ローブレーキLB締結・ハイクラッチHC解放・ハイローブレーキHLB解放により得られる。「2ndモード」は、ローブレーキLB締結・ハイクラッチHC締結・ハイローブレーキHLB解放により得られる。「High-iVTモード」は、ローブレーキLB解放・ハイクラッチHC締結・ハイローブレーキHLB解放により得られる。「Highモード」は、ローブレーキLB解放・ハイクラッチHC締結・ハイローブレーキHLB締結により得られる。
【００３５】
これらのモード遷移制御のうち、例えば、エンジンＥの始動・停止とクラッチやブレーキの締結・解放が同時に必要な場合や複数のクラッチやブレーキの締結・解放が必要な場合等においては、決められた手順にしたがったシーケンス制御により行われる。
【００３６】
次に、作用を説明する。
【００３７】
［再加速対応モード遷移制御処理］
図６は実施例１の統合コントローラ６において実行される再加速対応モード遷移制御処理の流れを示すフローチャートであり、以下、各ステップについて説明する（再加速対応モード遷移制御手段）。
【００３８】
ステップＳ１では、走行路面が下り坂であるか否かを判断し、YESの場合はステップＳ２へ移行し、NOの場合はステップＳ３へ移行する。ここで、下り坂判断は、例えば、車両に取り付けられた傾斜センサなどからのセンサ信号により、下り坂傾斜角が下り坂判断しきい値以上である場合に走行路面が下り坂であると判断する。
【００３９】
ステップＳ２では、ステップＳ１での下り坂であるとの判断に基づき、通常のモード遷移制御が実行され、リターンへ移行する。ここで、通常のモード遷移制御とは、１０の走行モードのうち最適な走行モードを、走行モードマップ上で車両の運転点（要求駆動力Fdrvと車速VSPにより決まる点）とバッテリS.O.Cにより選択し、現在選択されている走行モードとは異なる走行モードの領域へ車両の運転点が入ったとき、２つの走行モード間でモード遷移制御を行うことをいう。
【００４０】
ステップＳ３では、ステップＳ１での下り坂ではないとの判断に基づき、運転者によるブレーキ操作時か否かを判断し、YESの場合はステップＳ４へ移行し、NOの場合はステップＳ２へ移行する。つまり、車両減速の判断を、運転者によるブレーキ操作の有無により判断するようにしている。
【００４１】
ステップＳ４では、ステップＳ３での運転者によるブレーキ操作時であるとの判断に基づき、変速（モード遷移）が許可される車両状態か否かが判断され、YESの場合はステップＳ５へ移行し、NOの場合はステップＳ２へ移行する。ここで、変速が許可されない車両状態とは、例えば、走行中で既にモード遷移が実行されている場合や車両が既に停止状態にある場合をいい、これ以外の場合を変速が許可される車両状態とする。
【００４２】
ステップＳ５では、ステップＳ４での変速（モード遷移）が許可される車両状態であるとの判断に基づき、車速が設定車速（例えば、5km/h程度）以下で、且つ、第１モータジェネレータ回転数N1と第２モータジェネレータ回転数N2とが設定回転数（例えば、500rpm程度）以下であるか否かが判断され、YESの場合はステップＳ６へ移行し、NOの場合はステップＳ２へ移行する。
【００４３】
ステップＳ６では、ステップＳ５において車速条件とモータジェネレータ回転数条件とが成立しているとの判断に基づき、現在選択されている走行モードが「EV-High-iVTモード」、または、「HEV-High-iVTモード」か否かが判断され、YESの場合はステップＳ７へ移行し、NOの場合はステップＳ１１へ移行する。
【００４４】
ステップＳ７では、ステップＳ６において「EV-High-iVTモード」、または、「HEV-High-iVTモード」であるとの判断に基づき、ローブレーキLBを締結し、ステップＳ８へ移行する。
【００４５】
ステップＳ８では、ステップＳ６において「EV-High-iVTモード」、または、「HEV-High-iVTモード」であるとの判断に基づき、ハイクラッチHCを解放し、ステップＳ９へ移行する。
【００４６】
ステップＳ９では、ステップＳ６において「EV-High-iVTモード」、または、「HEV-High-iVTモード」であるとの判断に基づき、ハイローブレーキHLBを締結し、ステップＳ１０へ移行する。
【００４７】
ステップＳ１０では、ステップＳ７でのローブレーキLB締結、ステップＳ８でのハイクラッチHC解放、ステップＳ９でのハイローブレーキHLB締結により、「EV-High-iVTモード」または「HEV-High-iVTモード」から、「EV-Lowモード」または「HEV-Lowモード」へのモード遷移を実行し、リターンへ移行する。
【００４８】
ステップＳ１１では、ステップＳ６での「EV-High-iVTモード」、または、「HEV-High-iVTモード」ではないとの判断に基づき、現在選択されている走行モードが「EV-Low-iVTモード」、または、「HEV-Low-iVTモード」か否かが判断され、YESの場合はステップＳ１２へ移行し、NOの場合はステップＳ２へ移行する。
【００４９】
ステップＳ１２では、ステップＳ１１において「EV-Low-iVTモード」、または、「HEV-Low-iVTモード」であるとの判断に基づき、ハイローブレーキHLBを締結し、ステップＳ１３へ移行する。
【００５０】
ステップＳ１３では、ステップＳ１２でのハイローブレーキHLB締結により、「EV-Low-iVTモード」または「HEV-Low-iVTモード」から、「EV-Lowモード」または「HEV-Lowモード」へのモード遷移を実行し、リターンへ移行する。
【００５１】
［通常モード遷移制御による再加速時の課題］
共線図上に４つ以上の入出力要素が配列される差動装置を有し、前記入出力要素のうちの内側に配列される２つの要素の一方にエンジンからの入力を、他方に駆動系統への出力部材をそれぞれ割り当てると共に、前記内側の要素の両外側に配列される２つの要素にそれぞれ第１モータジェネレータMG1と第２モータジェネレータMG2とを連結し、前記出力部材の外側要素と第２モータジェネレータの連結要素をクラッチ１で締結した「無段変速モード（High）」と、前記クラッチ１を解放し、別の要素をブレーキ２で固定した「無段変速モード（Low）」と、両モータジェネレータのどちらか一方の要素、または、別の要素のいずれかをブレーキ１で固定する「ローギヤ固定モード」を備えた駆動装置において、高速走行から減速後に再加速を行う場合を考える。
【００５２】
まず、図７は「ローギヤ固定モード」と「無段変速モード（Low）」と「無段変速モード（High）」における入出力４要素のトルクの関係を表した共線図である。
「ローギヤ固定モード」においては、第２モータジェネレータMG2が正トルクを出すことで、エンジンINをアシストすることになり、第１モータジェネレータMG1が負のトルクを出すことでエンジン出力の一部を発電に回すことができる。
「無段変速モード（Low）」においては、基本的に第１モータジェネレータMG1が正トルク、第２モータジェネレータMG2が負トルクを出すことでエンジン出力が出力軸OUTに伝達される。
「無段変速モード（High）」においては、基本的に第１モータジェネレータMG1が負トルク、第２モータジェネレータMG2が正トルクを出すことでエンジン出力が出力軸OUTに伝達される。
【００５３】
よって、高速走行時は、エンジンINの入力をその両外側の２要素に連結された第１モータジェネレータMG1と第２モータジェネレータMG2で支えることにより駆動力が出力される（図７の「無段変速モード（High）」）。減速中には、ブレーキ２を締結し、クラッチ１を解放することによりモード遷移する（図７の「無段変速モード（Low）」）。さらに、再加速中には、ブレーキ１を締結することによりモード遷移する（図７の「ローギヤ固定モード」）。
【００５４】
したがって、図７の共線図において、第２リングギヤR2側を解放した「無段変速モード（Low）」から「ローギヤ固定モード」へとモード遷移する場合、第１モータジェネレータMG1は正トルクを出しながら回転数をゼロにする必要があるため、第１モータジェネレータMG1の回転数低下からブレーキ１の締結までに時間を要し、再加速が滑らかに行われないという課題がある。
【００５５】
［再加速対応モード遷移制御作用］
これに対し、実施例１では、高速走行からの減速時に、車速が設定車速以下で、かつ、両モータジェネレータMG1,MG2の回転数が設定回転数以下の場合、強制的にローブレーキLB，ハイクラッチHC，ハイローブレーキHLBを締結・解放することにより、「無段変速モード（High）」あるいは「無段変速モード（Low）」から「ローギヤ固定モード」へモード遷移することで、上記課題を解決した。
【００５６】
すなわち、高速走行からの減速時に、車速が設定車速以下で、かつ、両モータジェネレータMG1,MG2の回転数が設定回転数以下の場合であって、現在の走行モードが「EV-High-iVTモード」あるいは「HEV-High-iVTモード」である場合、図６のフローチャートにおいて、ステップＳ１→ステップＳ３→ステップＳ４→ステップＳ５→ステップＳ６→ステップＳ７→ステップＳ８→ステップＳ９→ステップＳ１０へと進む流れとなり、「EV-High-iVTモード」あるいは「HEV-High-iVTモード」で解放されているローブレーキLBを締結し、「EV-High-iVTモード」あるいは「HEV-High-iVTモード」で締結されているハイクラッチHCを解放し、「EV-High-iVTモード」あるいは「HEV-High-iVTモード」で解放されているハイローブレーキHLBを締結することで、強制的に「無段変速モード（High）」から「ローギヤ固定モード」へモード遷移される。
【００５７】
また、高速走行からの減速時に、車速が設定車速以下で、かつ、両モータジェネレータMG1,MG2の回転数が設定回転数以下の場合であって、現在の走行モードが「EV-Low-iVTモード」あるいは「HEV-Low-iVTモード」である場合、図６のフローチャートにおいて、ステップＳ１→ステップＳ３→ステップＳ４→ステップＳ５→ステップＳ６→ステップＳ１１→ステップＳ１２→ステップＳ１３へと進む流れとなり、「EV-Low-iVTモード」あるいは「HEV-Low-iVTモード」で解放されているハイローブレーキHLBを締結することで、強制的に「無段変速モード（Low）」から「ローギヤ固定モード」へモード遷移される。
【００５８】
ここで、図８に示すタイムチャートを用いて、高速走行から減速して再加速する場合のモード遷移タイミングと加速度特性とを従来制御（＝走行マップを用いた通常のモード遷移制御）と本発明制御とで比較する。
【００５９】
まず、従来制御の場合、目標車速が減速から加速に移行する再加速要求時点t1より遅れたt2の時点まで「無段変速モード（High）」が維持され、t2の時点で走行モードマップ上で隣接する「無段変速モード（High）」から「無段変速モード（Low）」へとモード遷移し、さらに、t3の時点で「無段変速モード（Low）」から「ローギヤ固定モード」へモード遷移することになる。つまり、再加速の際には、「無段変速モード（Low）」からのスタートとなり、駆動力要求が大きい場合には、上記のように第１モータジェネレータMG1の回転数低下とハイローブレーキHLBの締結のために応答遅れがある「ローギヤ固定モード」へのモード遷移が必要となり、図８に示すように、加速度特性に段差が生じて滑らかな再加速ができない。
【００６０】
一方、本発明制御の場合、目標車速が減速から加速に移行する再加速要求時点t1より先行するt0の時点で「無段変速モード（High）」から「ローギヤ固定モード」へモード遷移することになる。つまり、再加速の際のモード遷移が無く、再加速要求時点t1からの後の再加速に備え、「ローギヤ固定モード」へモード遷移を既に終えているため、図８に示すように、再加速要求時点t1の直後から滑らかに立ち上がる加速度特性を得ることができる。さらに、駆動力要求が大きくても、エンジンＥの出力トルクを第２モータジェネレータMG2の正トルクでアシストすることで大きな駆動力を出せる「ローギヤ固定モード」により要求に応えることができる。なお、図８のハッチングで示す領域が従来制御に対する本発明制御の加速度増大代となる。
【００６１】
次に、効果を説明する。
実施例１のハイブリッド車のモード遷移制御装置にあっては、下記に列挙する効果を得ることができる。
【００６２】
(1) 共線図上に４つ以上の入出力要素が配列される差動装置を有し、前記入出力要素のうちの内側に配列される２つの要素の一方にエンジンＥからの入力を、他方に駆動系統への出力軸OUTをそれぞれ割り当てると共に、前記内側の要素の両外側に配列される２つの要素にそれぞれ第１モータジェネレータMG1と第２モータジェネレータMG2とを連結した駆動力合成変速機TMを備えたハイブリッド車において、走行モードとして、少なくとも無段変速比により走行する「無段変速モード」と、前記差動装置の回転要素を変速機ケースに固定することでロー側の固定変速比により走行する「ローギヤ固定モード」と、を有し、前記「無段変速モード」を選択しての車両減速時、車速が設定車速以下になると、強制的に「無段変速モード」から「ローギヤ固定モード」へモード遷移する再加速対応モード遷移制御手段を設けたため、「無段変速モード」を選択しての車両減速後に再加速を行う走行時、スムーズで良好な再加速性を得ることができる。
【００６３】
(2) 前記走行モードとして、ハイ側無段変速比の要求時に選択される「ハイ側無段変速モード」と、ロー側無段変速比の要求時に選択される「ロー側無段変速モード」と、ロー側固定変速比の要求時に選択される「ローギヤ固定モード」と、を有し、前記再加速対応モード遷移制御手段は、「ハイ側無段変速モード」あるいは「ロー側無段変速モード」を選択しての車両減速時、車速が設定車速以下になると、強制的に「ローギヤ固定モード」にモード遷移するため、「ハイ側無段変速モード」を選択しての車両減速時には、「ロー側無段変速モード」を経過することなく直接「ローギヤ固定モード」にモード遷移することで、「ハイ側無段変速モード」と「ロー側無段変速モード」とのうち、何れのモードが車両減速時に選択されていたとしても、車両減速時後に再加速時にスムーズで良好な再加速性を得ることができる。
【００６４】
(3) 前記再加速対応モード遷移制御手段は、「ハイ側無段変速モード」あるいは「ロー側無段変速モード」を選択しての車両減速時、車速が設定車速以下であり、かつ、両モータジェネレータMG1,MG2の回転数が設定回転数以下になると、強制的に「ローギヤ固定モード」にモード遷移するため、「ローギヤ固定モード」へのモード遷移においてハイローブレーキHLBを締結するために必要である第１モータジェネレータMG1の回転数低下が速やかに行われ、「ローギヤ固定モード」への強制的なモード遷移を短時間にて応答良く行うことができる。
【００６５】
(4) 前記再加速対応モード遷移制御手段は、下り坂を検出した場合、車両減速時において強制的に「ローギヤ固定モード」へ遷移する再加速対応モード遷移制御を禁止するため、運転者の意図に合致した違和感のない運転性を確保することができる。
すなわち、下り坂での減速走行の場合、その後、ブレーキ操作を解除するだけでアクセル操作を行うことなく再加速に移行することができる。このため、強制的に「ローギヤ固定モード」へ遷移しても、すぐに「無段変速モード」等へ戻す必要があり、不要なモード遷移を防止する意味でも「無段変速モード」を維持していた方が、駆動力変動が懸念されるモード遷移の頻度を少なくすることができる。
【００６６】
(5) 前記再加速対応モード遷移制御手段は、運転者のブレーキ操作による車両減速を検出した場合にのみ、車両減速時において強制的にローギヤ固定モードへ遷移する再加速対応モード遷移制御を実行するため、運転者の意図に合致した違和感のない運転性を確保することができる。
すなわち、例えば、アクセル足離しによる車両減速時、強制的な「ローギヤ固定モード」へのモード遷移が実行されると、運転者にとっては予期せぬモード遷移であり、違和感を持つ。これに対し、運転者が自らブレーキ操作しているときに強制的な「ローギヤ固定モード」へのモード遷移が実行されても、ブレーキ操作に対応したモード遷移として違和感無く許容できる。
【００６７】
(6) 前記駆動力合成変速機TMは、第１遊星歯車PG1，第２遊星歯車PG2，第３遊星歯車PG3で構成され、エンジンＥと第１モータジェネレータMG1と第２モータジェネレータMG2と出力軸OUTとが連結された差動装置と、複数の走行モードを得るために設けられたローブレーキLB，ハイクラッチHC，ハイローブレーキHLBと、を有し、前記走行モードは、予め要求駆動力Fdrvと車速VSPとバッテリS.O.Cに応じて各走行モードを割り振り設定した走行モードマップと、検出された要求駆動力Fdrvと車速VSPとバッテリS.O.Cによる車両運転点とを用い、走行モードマップ上での車両運転点が所属する走行モード領域を検索することにより決定し、前記「ハイ側無段変速モード」は、ローブレーキLB解放，ハイクラッチHC締結，ハイローブレーキHLB解放により、ハイ側無段変速比を得る走行モードであり、前記「ロー側無段変速モード」は、ローブレーキLB締結，ハイクラッチHC解放，ハイローブレーキHLB解放により、ロー側無段変速比を得る走行モードであり、前記「ローギヤ固定モード」は、ローブレーキLB締結，ハイクラッチHC解放，ハイローブレーキHLB締結により、ロー側固定変速比を得る走行モードであるため、減速からの再加速時、通常のモード遷移制御を適用した場合に比べ、応答良く、かつ、滑らかに立ち上がる加速度特性により、高い駆動力要求に対応する優れた再加速性を達成することができる。
すなわち、減速からの再加速時、通常のモード遷移制御を適用した場合、「ハイ側無段変速モード」→「ロー側無段変速モード」→「ローギヤ固定モード」というモード遷移になると共に、「ロー側無段変速モード」→「ローギヤ固定モード」については第１モータジェネレータMG1の回転数の低下を待ってハイローブレーキHLBを固定する必要があり、時間がかかるため、再加速が段差的な加速度特性により滑らかに行われない。
【００６８】
以上、本発明のハイブリッド車のモード遷移制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００６９】
実施例１では、車両減速をブレーキ操作により判断する例を示したが、例えば、車速センサや前後Ｇセンサからの信号に基づいて車両減速度を検出して車両減速を判断しても良いし、また、アクセル足離し操作により車両減速を判断しても良いし、アクセル足離し操作とブレーキ操作とを組み合わせて車両減速を判断しても良い。
【産業上の利用可能性】
【００７０】
実施例１のハイブリッド車のモード遷移制御装置は、３つのシングルピニオン型遊星歯車により構成された差動装置を有する駆動力合成変速機の例を示したが、例えば、特開２００３−３２８０８号公報等に記載されているようにラビニョウ型遊星歯車により構成された差動装置を有する駆動力合成変速機にも適用することができるし、それ以外の差動装置であっても、少なくとも１つの無段変速モードとローギヤ固定モードを有する駆動力合成変速機を搭載したハイブリッド車には適用することができる。
【図面の簡単な説明】
【００７１】
【図１】実施例１のモード遷移制御装置が適用されたハイブリッド車の駆動系及び制御系を示す全体システム図である。
【図２】実施例１のハイブリッド車において電気自動車モードでの５つの走行モードをあらわす共線図である。
【図３】実施例１のハイブリッド車においてハイブリッド車モードでの５つの走行モードをあらわす共線図である。
【図４】実施例１のハイブリッド車において走行モードの選択に用いられる走行モードマップの一例を示す図である。
【図５】実施例１のハイブリッド車において「１０の走行モード」でのエンジン・エンジンクラッチ・モータジェネレータ・ローブレーキ・ハイクラッチ・ハイローブレーキの作動表である。
【図６】実施例１の統合コントローラにおいて実行される再加速対応モード遷移制御処理の流れを示すフローチャートである。
【図７】「ローギヤ固定モード」と「無段変速モード（Low）」と「無段変速モード（High）」における入出力４要素のトルクの関係を表す共線図である。
【図８】減速から再加速に移行する走行時における目標車速・本発明でのモード遷移・従来制御でのモード遷移・本発明での加速度特性・従来制御での加速度特性を示すタイムチャートである。
【符号の説明】
【００７２】
Ｅ  エンジン
MG1  第１モータジェネレータ
MG2  第２モータジェネレータ
OUT  出力軸（出力部材）
PG1  第１遊星歯車
PG2  第２遊星歯車
PG3  第３遊星歯車
EC  エンジンクラッチ
LB  ローブレーキ
HC  ハイクラッチ
HLB  ハイローブレーキ
１  エンジンコントローラ
２  モータコントローラ
３  インバータ
４  バッテリ
５  油圧制御装置
６  統合コントローラ
７  アクセル開度センサ
８  車速センサ
９  エンジン回転数センサ
１０  第１モータジェネレータ回転数センサ
１１  第２モータジェネレータ回転数センサ
１２  第３リングギヤ回転数センサ
【図１】
2005291476.tif 000003
【図２】
2005291476.tif 000004
【図３】
2005291476.tif 000005
【図４】
2005291476.tif 000006
【図５】
2005291476.tif 000007
【図６】
2005291476.tif 000008
【図７】
2005291476.tif 000009
【図８】
2005291476.tif 000010